(57)【要約】【課題】本発明は、電装品と基板とをピッチ変換して接続するコネクタ装置及び画像形成装置に関する。【解決手段】コネクタ装置１は、ピッチ変換コネクタ１０のハーネス口１２〜１４に、複数の所定数の電装品を1セットとして、該1セットの電装品に接続されている複数本からなるバラ線ハーネス３１〜３３をコネクタ３４〜３５によって接続して、ＦＦＣ取り付け口１１に、基板に接続されている挟ピッチのＦＦＣ２２を接続し、１セットの全ての電装品のＰ（電源）、Ｓ（信号）及びＧ（設置）が、同じピン配列順序で接続され、そのピン数を最大ピン数から順にＡ、Ｂ、Ｃ、・・・としたとき、Ａ≧Ｂ≧Ｃ≧・・・≧Ａ−１というピン数条件を満たしていて、ピン数Ａの電装品の１ピン目が、バラ線ハーネス３１〜３３の任意の空きピンＭに接続され、以下、ピン数の多い電装品順に、その１ピン目がピンＭに１ピンを加算したピンに順次接続される。【選択図】          図１
2012009351.tif 000002
【特許請求の範囲】
【請求項１】
複数個の電装品側接続口と基板側接続口を有するピッチ変換コネクタと、
前記電装品側接続口の数の電装品を１セットとして、該１セットの電装品をそれぞれ異なる該電装品側接続口に接続する電装品側ケーブルと、
基板と前記基板側接続口を接続する挟ピッチの基板側ケーブルと、
を備え、
前記ピッチ変換コネクタは、
複数の前記電装品側接続口を所定の接続口順序列に設定して、該各電装品側接続口の各ピンを、該各電装品側接続口の所定ピン方向の先頭ピンから該接続口順序列に従って該電装品側接続口の数だけ配列して前記基板側接続口に接続し、該各電装品側接続口の先頭ピンの次のピンから該接続口順序列に従って該電装品側接続口の数だけ配列して該基板側接続口に接続する接続口間接続を少なくとも該電装品側接続口のピンの数だけ行ない、
前記各電装品側ケーブルは、
前記電装品の電源用ピン、信号用ピン及び接地用ピンが、前記１セットの電装品において同じピン配列順序で接続され、該１セットの電装品が、該電装品のピン数を最大ピン数から順にピン数Ａ、ピン数Ｂ、ピン数Ｃ、・・・としたとき、Ａ≧Ｂ≧Ｃ≧・・・≧Ａ−１というピン数条件を満たしていて、該１セットの電装品のうちピン数の多い電装品順に、所定ピン方向において、各電装品の先頭ピンを、該電装品側ケーブルの任意の空きピンから該電装品順に配列して前記電装品側接続口に接続させ、次に該各電装品順の先頭ピンの次のピンから該電装品順に配列して該電装品側接続口に接続せる電装品ピン接続を該電装品のピン数だけ行うことを特徴とするコネクタ装置。
【請求項２】
前記コネクタ装置は、
前記電装品側接続口に接続される前記１セット全ての電装品のうち、前記ピン配列順序が他の電装品のピン配列順序と異なる電装品については、該電装品の前記電装品側ケーブルの配線を変更して該電装品側接続口において他の電装品と同じピン配列順序として接続されていることを特徴とする請求項１記載のコネクタ装置。
【請求項３】
前記コネクタ装置は、
前記電装品側接続口に接続される前記１セット全ての電装品のうち、前記ピン数条件に非適合の電装品については、前記電装品側ケーブルの前記電装品側接続口への接続において、該ピン数条件を満たす位置にピン位置をずらして接続されていることを特徴とする請求項１または請求項２記載のコネクタ装置。
【請求項４】
前記コネクタ装置は、
前記電装品のセット数が複数であると、該複数セットの電装品のうち、前記電装品側接続口に接続される相隣接する一方の電装品のピン配列順序を、電源用ピン、接地用ピン、信号用ピンとし、他方の電装品のピン配列順序を、信号用ピン、接地用ピン、電源用ピンとすることを特徴とする請求項１から請求項３のいずれかに記載のコネクタ装置。
【請求項５】
基盤から電装品にコネクタ部を介して電源及び信号を供給して、画像形成する画像形成装置において、前記コネクタ部として、請求項１から請求項４のいずれかに記載のコネクタ装置を搭載していることを特徴とする画像形成装置。
【発明の詳細な説明】
【技術分野】
【０００１】
本発明は、コネクタ装置及び画像形成装置に関し、詳細には、電装品と基板とをピッチ変換して接続するコネクタ装置及び該コネクタ装置を搭載した画像形成装置に関する。
【背景技術】
【０００２】
画像形成装置等の各種電気機器は、基板と電装品とを接続するのに、基板上のコネクタに接続されているケーブル（ハーネス）と電装品に接続されているケーブル（ハーネス）のコネクタとをコネクタで接続している。また、近年、機器の性能の向上や多機能化に伴ってハーネス量が増大してきており、ハーネスの軽量化、省スペース化及び省資源化を図るために、バラ線ハーネスからＦＦＣ（Flexible Flat Cable）が用いられるようになってきている。ところが、電装品は、バラハーネスでしか接続できないものも多いため、例えば、基板上のコネクタに接続されているＦＦＣと電装品に接続されているハーネスのコネクタとを、ＦＦＣとバラ線ハーネスとの間のピッチ変換を行うピッチ変換コネクタが使用されている（特許文献１参照）。
【発明の概要】
【発明が解決しようとする課題】
【０００３】
しかしながら、上記従来技術にあっては、単に、ピッチ変換コネクタを用いてピッチ間隔を短くするのみであるため、基板側のコネクタのピッチ間隔が単に狭くなるのみであり、基板上のパターンが引きづらくなるという問題があった。
【０００４】
そこで、本発明は、ピッチ間隔が狭くても基板上におけるパターンの作成の容易性を向上させることのできるコネクタ装置及び画像形成装置を提供することを目的としている。
【課題を解決するための手段】
【０００５】
本発明は、上記目的を達成するために、電装品側接続口と基板側接続口を有するピッチ変換コネクタの該電装品側接続口に、複数の電装品に接続されている複数本からなる電装品側ケーブルを接続し、該基板側接続口に、基板に接続されている挟ピッチの基板側ケーブルを接続してピッチ変換する場合に、該電装品側接続口に、接続される電装品側ケーブルが、前記電装品の電源用ピン、信号用ピン及び接地用ピンが、電装品側接続口の数の電装品を１セットとして、該１セットの電装品において同じピン配列順序で接続され、該１セットの電装品が、該電装品のピン数を最大ピン数から順にピン数Ａ、ピン数Ｂ、ピン数Ｃ、・・・としたとき、Ａ≧Ｂ≧Ｃ≧・・・≧Ａ−１というピン数条件を満たしていて、該１セットの電装品のうちピン数の多い電装品順に、所定ピン方向において、各電装品の先頭ピンを、該電装品側ケーブルの任意の空きピンから該電装品順に配列して電装品側接続口に接続させ、次に該各電装品順の先頭ピンの次のピンから該電装品順に配列して該電装品側接続口に接続せる電装品ピン接続を該電装品のピン数だけ行うことを特徴としている。
【０００６】
また、本発明は、前記電装品側接続口に接続される前記１セット全ての電装品のうち、前記ピン配列順序が他の電装品のピン配列順序と異なる電装品については、該電装品の前記電装品側ケーブルの配線を変更して該電装品側接続口において他の電装品と同じピン配列順序として接続されていることを特徴としていてもよい。
【０００７】
さらに、本発明は、前記電装品側接続口に接続される前記１セット全ての電装品のうち、前記ピン数条件に非適合の電装品については、前記電装品側ケーブルの前記電装品側接続口への接続において、該ピン数条件を満たす位置にピン位置をずらして接続されていることを特徴としていてもよい。
【０００８】
また、本発明は、前記電装品のセット数が複数であると、該複数セットの電装品のうち、前記電装品側接続口に接続される相隣接する一方の電装品のピン配列順序を、電源用ピン、接地用ピン、信号用ピンとし、他方の電装品のピン配列順序を、信号用ピン、接地用ピン、電源用ピンとすることを特徴としていてもよい。
【発明の効果】
【０００９】
本発明によれば、同じ機能のピンを揃えて基板側に渡すことができ、ピッチ間隔が狭くても基板上のパターンの作成の容易性を向上させることができる。
【図面の簡単な説明】
【００１０】
【図１】本発明の一実施例を適用したコネクタ装置の外観斜視図。
【図２】コネクタの配線説明図。
【図３】コネクタ装置を挟んで基板側と電装品側とのピン関係を示す図。
【図４】コネクタ装置を介したピン配置とピン数の説明図。
【図５】２セット目の電装品側の先頭ピンを基板側のＡ＋Ｂ＋Ｃ＋1ピン目に配列したときの説明図。
【図６】２セット目の電装品を接続する場合の説明図。
【図７】電装品側のピン配列が既定の配列と異なる場合の対応例を示す図。
【図８】電装品側のピン数の条件が合わない場合の対応例を示す図。
【図９】電装品側のピン配をｎセット目とｎ＋１セット目で最後と最初のピン配を同じにする場合の一例を示す図。
【図１０】基板上のコネクタを分類配置した一例を示す図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図１０は、本発明のコネクタ装置及び画像形成装置の一実施例を示す図であり、図１は、本発明のコネクタ装置及び画像形成装置の一実施例を適用したコネクタ装置１のブロック構成図である。
【００１３】
図１において、コネクタ装置１は、ＦＦＣピッチ変換コネクタ１０を有しており、ＦＦＣピッチ変換コネクタ１０は、その一方側に、基板２０（図２参照）側のＦＦＣ取り付け口（基板側接続口）１１が、その他方側に、３段に縦配列されたハーネス口（電装品側接続口）１２〜１４が設けられている。このコネクタ装置１は、電子写真方式、インク噴射方式及びその他の方式によって、基板２０から電源電力や信号を電装品に供給して、電装品を動作させることで、用紙等の被画像形成媒体に画像形成する画像形成装置に搭載される。
【００１４】
ＦＦＣピッチ変換コネクタ１０のＦＦＣ取り付け口１１には、基板２０に配設されているコネクタ２１に接続されるＦＦＣ（基板側ケーブル）２２が着脱可能に装着され、ハーネス口１２〜１４には、３本のバラ線ハーネス（電装品側ケーブル）３１〜３３の接続されているピンコネクタ３４〜３６が挿入される。なお、バラ線ハーネス３１〜３３の電装品（図示略）側には、コネクタ３７〜３９が接続されている。
【００１５】
すなわち、ＦＦＣピッチ変換コネクタ１０は、ピッチ変換において、図２に示すようなピッチ変換を行うとすると同時に、ピン配をいれこ状態に変換する特性を利用して、電装品の配列を工夫することで、電源ピンやＧＮＤピンのような共通の信号を基板２０側のコネクタ１１に連続して配列させ、基板２０のパターンを引きやすくすることができ、本実施例のコネクト装置１は、この特性を利用している。
【００１６】
すなわち、本実施例のコネクタ装置１は、ＦＦＣ１２とバラ線ハーネス３１〜３３との間のピッチを変換するコネクタであり、ＦＦＣ２２の１本と、縦配列された複数組（本実施例では、３組）のバラ線ハーネス３１〜３３との間のピッチ変換を行うために、並列方向に大きなスペースがなくても、端子間距離の変換率を大きくすることのできる中継コネクタである。
【００１７】
このコネクタ装置１のＦＦＣピッチ変換コネクタ１０の特性は、図２に示すように、ＦＦＣ２２側で、１〜Ｎで配列されている信号に対して、いれこ状態でバラ線ハーネス３１〜３３に変換される特性を持っている。
【００１８】
そして、電装品のピン配は、一般的に、Ｐ（電源用ピン）、１本以上のＳ（信号用ピン）、Ｇ（接地用ピン）の順序で配列されており、ＦＦＣピッチ変換コネクタ１０が、本実施例の場合、電装品３個を１セットとして処理する。この場合、通常であると、電装品のピン配は、図３に示すように、１番ピンがＰ（電源用ピン）、複数のＳ（信号用ピン）、最終ピンが、Ｇ（接地用ピン）となって、電装品のピン数に関係なく、ＦＦＣ２２側（基板２０側）のコネクタ２１のピン配は、１〜３ピン目までが、ＰＰＰ（電源用ピンが３つ）となることが確定する。
【００１９】
ＦＦＣピッチ変換コネクタ１０は、その特性として、ＦＦＣ２２側（基板２０側）の信号が図２に示すように１〜Ｎで配列されているとすると、入れこ状態で、３組のバラ線ハーネス３１〜３３に交互に変換する。
【００２０】
そこで、本実施例のコネクタ装置１は、電装品Ｘ個（本実施例では、３個）を１セットとして、１セットの全ての電装品において、そのピン配列の順序が同じであって、Ｐ（電源用ピン）、複数のＳ（信号用ピン）、Ｇ（接地用ピン）のピン配列順である。
【００２１】
すなわち、ＦＦＣピッチ変換コネクタ１０のハーネス口１２には、コネクタ３４、バラ線ハーネス３１及びコネクタ３７を介して、１セット目の電装品が、ハーネス口１３には、コネクタ３５、バラ線ハーネス３２及びコネクタ３８を介して、２セット目の電装品が、ハーネス口１４には、コネクタ３６、バラ線ハーネス３３及びコネクタ３９を介して、３セット目の電装品が、それぞれ接続される。
【００２２】
そして、図３に示すように、コネクタ装置１は、ＦＦＣピッチ変換コネクタ１０の変換特性として、３個の電装品を１セットとして、該１セットの電装品のバラ線ハーネス３１〜３３を狭ピッチのＦＦＣ２２ｎｉ変換しているため、１セット目の電装品に接続されるバラ線ハーネス３１には、そのピン配が、１ピン〜３ピンまでＰＰＰ（電源用ピン）となっている。
【００２３】
また、基板２０側（ＦＦＣ２２側）の１ピン目のＰ（電源用ピン）が入力されている電装品（１つめの電装品）のピン数をＡ、基板２０側（ＦＦＣ２２側）の２ピン目のＰ（電源用ピン）が入力されている電装品（２つ目の電装品）のピン数をＢ、基板２０側（ＦＦＣ２２側）の３ピン目のＰ（電源用ピン）が入力されている電装品（３つ目の電装品）のピン数をＣとしたとき、次の条件式（１）が成立するように、電装品を配列する。
【００２４】
Ａ≧Ｂ≧Ｃ≧Ａ−１・・・（１）
そして、ピン数Ａの電装品の１ピン目を、バラ線ハーネス３１の任意の空きピンＭに、ピン数Ｂの電装品の１ピン目をバラ線ハーネス３２の空きピンＭ＋１に、ピン数の電装品の１ピン目を、バラ線ハーネス３３の空きピンＭ＋２ピン目に、以下、その他の電装品がある時には、電装品のピン数順にＭ＋３、Ｍ＋４、・・・と接続されるように配列する。
【００２５】
上記電装品を条件式（１）が成立するように配列すると、図４に示すように、基板２０側（ＦＦＣ２２側）のＡ＋Ｂ＋Ｃピン目まで、Ｐ、Ｓ、Ｇが、それぞれ少なくとも３ピン以上連続して配列される。
【００２６】
２セット目以降も同様に配置する。すなわち、２セット目の電装品に関して説明すると、Ａ＋Ｂ＋Ｃ＋１ピン目をＦＦＣ２２側（基板２０側）の１ピン目、Ａ＋Ｂ＋Ｃ＋２ピン目をＦＦＣ２２側（基板２０側）の２ピン目、Ａ＋Ｂ＋Ｃ＋３ピン目をＦＦＣ２２側（基板２０側）の３ピン目とすると、１セット目と同じ条件で電装品を配列させると、図５に示すように、基板２０側（ＦＦＣ２２側）のＡ＋Ｂ＋Ｃピン目以降のピン配列も、Ｐ、Ｓ、Ｇがそれぞれ少なくとも３ピン以上連続して配列される。
【００２７】
上記配列を繰り返し行うと、Ｎセットの電装品に対しても、１セットずつと捉えて、Ａ≧Ｂ≧Ｃ≧Ａ−１の条件で順番に配置することにより、Ｐ、Ｓ、Ｇがそれぞれ少なくとも３ピン以上連続して配列されるので、基板２０のパターンを引きやすくすることができる。
【００２８】
上述のように、ＦＦＣ２２側（基板２０側）の１ピン目のＰ（電源用ピン）が入力されている電装品のピン数をＡ、ＦＦＣ２２側（基板２０側）の２ピン目のＰが入力されている電装品のピン数をＢ、ＦＦＣ側（基板側）の３ピン目のＰが入力されている電装品のピン数をＣとしたとき、上記式（１）（Ａ≧Ｂ≧Ｃ≧Ａ−１）の条件を満たすように電装品を配列すると、ＦＦＣ２２側（基板２０側）のコネクタ２１のＡ＋Ｂ＋Ｃピンまで、Ｐ、Ｓ、Ｇが少なくとも３ピン以上連続して配列される。
【００２９】
次に、３つ（２セット目）の電装品に関しても同様であって、１セットずつと捉えて、ＦＦＣ２２側（基板２０側）のＡ＋Ｂ＋Ｃ＋１ピン目を、上記図３、図４の１ピン目として捉えて、上記式（１）の条件で、上記図３、図４で説明した場合と同様にして電装品を配列させると、Ａ＋Ｂ＋Ｃ＋１ピン目以降のＦＦＣ２２側（基板２０側）のピン配列もＰ、Ｓ、Ｇが、少なくとも３ピン以上連続して配列される。
【００３０】
上記説明では、３つの電装品を１セットするコネクト装置１の機能について説明したが、複数の電装品を１セットする複数セットＮに対しても、配列を上記条件に従って配列することにより、ＦＦＣ２２側（基板２０側）のピン配列がＰ、Ｓ、Ｇが少なくとも複数（本実施例では、３）ピン以上連続して配列される。
【００３１】
すなわち、本実施例のコネクタ装置１は、ＦＦＣ２２からＸ本（３本）のバラ線ハーネス３１〜３３に変換するＦＦＣピッチ変換コネクタ１０を用い、電装品を、Ｘ個（本実施例では、ハーネス口１２〜１４の数である３個）を１セットとして、１セットの全ての電装品におけるＰ（電源用ピン）、Ｓ（信号用ピン）、Ｇ（接地用ピン）のピン配列の順序が同じである。この場合、信号が複数の場合は、連続して配列される）。
【００３２】
コネクタ装置１は、上記条件に従って電装品側が接続されると、例えば、２セットの電装品がコネクタ３４〜３６及びバラ線ハーネス３１〜３３を介して接続される場合には、図５及び図６に示すようになる。
【００３３】
すなわち、１セット目の電装品は、４ピン、３ピン、３ピンであって、上記同様に、コネクタ３７〜３９、バラ線ハーネス３１〜３３及びピンコネクタ３４〜３６を介して変換コネクタ１０に接続される。そして、次に、４ピン、４ピン、３ピンの２セット目の電装品がバラ線ハーネス４１、４２、４３及びコネクタ４４、４５、４６によってコネクタ３４〜３６に接続されて、ＦＦＣピッチ変換コネクタ１０によってＦＦＣ２２にピッチ変換されて接続される。このとき、ＦＦＣ２２の接続される基板２０のコネクタ２１には、１セット目の電装品のピン数の和（４＋３＋３）の次のピン以降には、２セット目の電装品のピン数の和（４＋４＋３）のピンが並ぶが、その先頭にＰ（電源用ピン）が３つ並んだ状態となり、また、最後に、Ｇ（接地用ピン）が３つ並んだ状態となっている。
【００３４】
このように、本実施例のコネクタ装置１は、ピッチ変換コネクタ１０が、ハーネス口（電装品側接続口）１２〜１４とＦＦＣ取り付け口（基板側接続口）１１を有し、複数のハーネス口１２〜１４を所定の接続口順序列に設定して、該各ハーネス口１２〜１４の各ピンを、該各ハーネス口１２〜１４の所定ピン方向の先頭ピンから該接続口順序列に従って該ハーネス口１２〜１４の数だけ配列してＦＦＣ取り付け口１１に接続して、該各ハーネス口１２〜１４の先頭ピンの次のピンから該接続口順序列に従ってハーネス口１２〜１４の数だけ配列してＦＦＣ取り付け口１１に接続する接続口間接続を少なくともハーネス口１２〜１４のピンの数だけ行なう。また、コネクタ装置１は、各バラ線ハーネス（電装品側ケーブル）３１〜３３が、電装品の電源用ピン、信号用ピン及び接地用ピンが、１セットの電装品において同じピン配列順序で接続され、ハーネス口１２〜１４の数を１セットとして、該１セットの電装品が、該電装品のピン数を最大ピン数から順にピン数Ａ、ピン数Ｂ、ピン数Ｃ、・・・としたとき、Ａ≧Ｂ≧Ｃ≧・・・≧Ａ−１というピン数条件を満たしていて、該１セットの電装品のうちピン数の多い電装品順に、所定ピン方向において、各電装品の先頭ピンを、バラ線ハーネス３１〜３３の任意の空きピンから該電装品順に配列してハーネス口１２〜１４に接続させ、次に該各電装品順の先頭ピンの次のピンから該電装品順に配列してハーネス口１２〜１４に接続せる電装品ピン接続を該電装品のピン数だけ行っている。
【００３５】
したがって、ピッチ変換する際に、ピン数の近い電装品をまとめて１セットとするとともに、ピン配列順序を同じにしているので、同じ機能のピンを揃えて基板２０側に渡すことができ、ピッチ間隔が狭くても基板２０上におけるパターンの作成の容易性を向上させて、パターンを引きやすくすることができる。
【００３６】
また、コネクタ装置１は、図７（ａ）に示すように、コネクタ３７に接続される電装品の端子状況が規定されているピン配列（ＰＳＧ）と異なる場合、例えば、図７（ａ）の場合には、ＳＧＰとなっている場合には、ピン配列状況の異なっているコネクタ３７に接続されているバラ線ハーネス３１を、図７（ｂ）に示すように、正規のピン配列に合わせて配線変更したバラ線ハーネス５０とすることで対応する。
【００３７】
このようにすると、ピン配列の異なる電装品に対しても、適用することができ、汎用性を向上させることができるとともに、ピッチ間隔が狭くても基板２０上におけるパターンの作成の容易性を向上させて、パターンを引きやすくすることができる。
【００３８】
さらに、電装品側のピン数が上記条件式（１）を満たしていないとき、例えば、図８（ａ）に示すように、電装品側のコネクタ３７〜３９のピン数が、５ピン、４ピン、３ピンの場合、上記（１）であるＡ≧Ｂ≧Ｃ≧Ａ−１のうち、Ｃ≧Ａ−１の条件部分において、Ｃが、３、Ａ−１が４となって、条件を満たさなくなる。
【００３９】
そこで、本実施例のコネクタ装置１では、このような場合、図８（ｂ）に示すように、バラ線ハーネス３３を、ＦＦＣピッチ変換コネクタ１０側のコネクタ３６へ接続する場合に、バラ線ハーネス５１として示すように、Ｇピン（接地用ピン）を、ピンが４本あるときの位置に接続して、Ｓピンとの間に１ピン分の空きを設ける。
【００４０】
このようにすると、他の電装品に比較してピン数の少ない電装品に対しても１セットとして組み合わせて適用することができ、利用性を向上させることができる。
【００４１】
また、ピン配においては、上記各説明においては、通常のピン配順序であるＰＳＧを用いているが、ピン配順序は、上記ピン配順序に限るものではなく、例えば、電装品が複数セットある場合、隣接する電装品のピン配において、ｎセット目の最後のピン配と次のｎ＋１セット目の最初のピン配を同じ種類にするピン配順序であってもよい。
【００４２】
例えば、図９（ａ）に示すように、ＦＦＣピッチ変換コネクタ１０の伝送側コネクタ３４〜３６にそれぞれ電装品１セット目のバラ線ハーネス３１〜３３と電装品２セット目のバラ線ハーネス４１〜４３が、上記実施例においては、１セット目も２セット目もともに、ＰＳＧの順で接続されることになり、図９（ａ）の場合、１セット目が４ピン、３ピン、３ピン、２セット目が、３ピン、４ピン、４ピンとなっている。この接続順を、図９（ｂ）に示すように、１セット目をＰＧＳ順にピン配し、２セット目をＳＧＰ順にピン配する。
【００４３】
このようにすると、図９（ｂ）に基板２０のコネクタ２１におけるピン配状態のうち、Ｓ（信号用ピン）を破線の丸で示すように、全てのセットをＰＳＧ順でピン配する場合よりもより多くの信号を連続させて、基板２０上のプリントパターンをより一層とりやすくすることができる。
【００４４】
さらに、コネクタ装置１は、基板２０を、そのコネクタ配置が、図１０に示すように、電源コネクタパターン２１ａ、グランドコネクタパターン２１ｂ及び信号コネクタパターン２１ｃに分割された基板２０ａとし、各コネクタパターン２１ａ、２１b、２１ｃとＦＦＣピッチ変換コネクタ１０の基板２０ａ側のコネクタ１１とを、ＦＦＣ２２の代わりに、ＦＰＣ（Flexible Printed Circuits）２２ａを用いて接続してもよい。
【００４５】
このようにすると、基板２０ａのプリントパターンをより一層簡略化することができる。
【００４６】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００４７】
本発明は、複数の電装品を基板とケーブルでピッチ変換して接続するコネクタ装置及び該コネクタ装置を搭載する画像形成装置に利用することができる。
【符号の説明】
【００４８】
１  コネクタ装置
１０  ＦＦＣピッチ変換コネクタ
１１  ＦＦＣ取り付け口
１２〜１４  ハーネス口
２０  基板
２０ａ  基板
２１  コネクタ
２２  ＦＦＣ
２２ａ  ＦＰＣ
２１ａ  電源コネクタパターン
２１ｂ  グランドコネクタパターン
２１ｃ  信号コネクタパターン
３１〜３３  バラ線ハーネス
３４〜３６  コネクタ
３７〜３９  コネクタ
４１〜４３  バラ線ハーネス
４４〜４６  コネクタ
４７〜４９  コネクタ
５０、５１  バラ線ハーネス
【先行技術文献】
【特許文献】
【００４９】
【特許文献１】特開平８−１６２２８号公報
【図１】
2012009351.tif 000003
【図２】
2012009351.tif 000004
【図３】
2012009351.tif 000005
【図４】
2012009351.tif 000006
【図５】
2012009351.tif 000007
【図６】
2012009351.tif 000008
【図７】
2012009351.tif 000009
【図８】
2012009351.tif 000010
【図９】
2012009351.tif 000011
【図１０】
2012009351.tif 000012